(57)【要約】【課題】画像表示装置により表示される画像の色を調整可能となる有用な情報処理装置、情報処理方法、プログラム、及び画像表示装置を提供すること。【解決手段】本技術の一形態に係る情報処理装置は、取得部と、第１の算出部と、変換部とを具備する。前記取得部は、第１の色域で表現される第１の色情報を含む画像情報を取得する。前記第１の算出部は、前記画像情報をもとに画像を表示可能な画像表示系の色域の情報を用いて、前記第１の色情報をユーザの指示に基づく第２の色域で表現される第２の色情報に変換するための変換情報を算出する。前記変換部は、前記変換情報を用いて前記第１の色情報を前記第２の色情報に変換する。【選択図】図２
2015049463.tif 000002
【特許請求の範囲】
【請求項１】
第１の色域で表現される第１の色情報を含む画像情報を取得する取得部と、
前記画像情報をもとに画像を表示可能な画像表示系の色域の情報を用いて、前記第１の色情報をユーザの指示に基づく第２の色域で表現される第２の色情報に変換するための変換情報を算出する第１の算出部と、
前記変換情報を用いて前記第１の色情報を前記第２の色情報に変換する変換部と
を具備する情報処理装置。
【請求項２】
請求項１に記載の情報処理装置であって、
前記ユーザからの指示が入力される入力部をさらに具備し、
前記第２の色域は、前記入力部に入力された、ＸＹＺ表色系色度図において前記第２の色域を規定する赤、緑、青の各色度座標に関する指示をもとに設定される
情報処理装置。
【請求項３】
請求項２に記載の情報処理装置であって、
前記第２の色域は、前記赤、緑、青の各色度座標を変動する指示をもとに設定される
情報処理装置。
【請求項４】
請求項２に記載の情報処理装置であって、
前記第２の色域は、前記赤、緑、青の各色度座標を指定する指示をもとに設定される
情報処理装置。
【請求項５】
請求項１に記載の情報処理装置であって、
前記画像表示系の色域の情報を算出するための色域に関する情報を記憶する記憶部と、
前記記憶された色域に関する情報を用いて、前記画像表示系の色域の情報を算出する第２の算出部と
をさらに具備し、
前記第１の算出部は、前記算出された前記画像表示系の色域の情報を用いて、前記変換情報を算出する
情報処理装置。
【請求項６】
請求項５に記載の情報処理装置であって、
前記記憶部は、前記第１の色情報を、予め設定された色域としての第３の色域で表現される第３の色情報に変換するための、予め前記画像表示系の色域の情報を用いて算出された設定変換情報を記憶し、
前記第２の算出部は、前記設定変換情報を前記色域に関する情報として用いて、前記画像表示系の色域の情報を算出する
情報処理装置。
【請求項７】
請求項１に記載の情報処理装置であって、
予め測定された前記画像表示系の色域の情報を記憶する記憶部をさらに具備し、
前記第１の算出部は、前記記憶された前記画像表示系の色域の情報を用いて、前記変換情報を算出する
情報処理装置。
【請求項８】
請求項２に記載の情報処理装置であって、
前記第２の色域は、前記赤、緑、青の各色度座標の少なくとも１つとして、前記画像表示系の色域の外側の色度座標を選択する指示をもとに設定される
情報処理装置。
【請求項９】
第１の色域で表現される第１の色情報を含む画像情報を取得し、
前記画像情報をもとに画像を表示可能な画像表示系の色域の情報を用いて、前記第１の色情報をユーザの指示に基づく第２の色域で表現される第２の色情報に変換するための変換情報を算出し、
前記変換情報を用いて前記第１の色情報を前記第２の色情報に変換する
ことをコンピュータが実行する情報処理方法。
【請求項１０】
第１の色域で表現される第１の色情報を含む画像情報を取得するステップと、
前記画像情報をもとに画像を表示可能な画像表示系の色域の情報を用いて、前記第１の色情報をユーザの指示に基づく第２の色域で表現される第２の色情報に変換するための変換情報を算出するステップと、
前記変換情報を用いて前記第１の色情報を前記第２の色情報に変換するステップと
をコンピュータに実行させるプログラム。
【請求項１１】
第１の色域で表現される第１の色情報を含む画像情報を取得する取得部と、
前記画像情報をもとに画像を表示可能な画像表示系と、
前記画像表示系の色域の情報を用いて、前記第１の色情報をユーザの指示に基づく第２の色域で表現される第２の色情報に変換するための変換情報を算出する第１の算出部と、
前記変換情報を用いて前記第１の色情報を前記第２の色情報に変換する変換部と、
前記画像表示系に前記第２の色情報を出力する出力部と
を具備する画像表示装置。
【発明の詳細な説明】
【技術分野】
【０００１】
本技術は、プロジェクタ等により表示される画像を調整するための情報処理装置、情報処理方法、プログラム、及び画像表示装置に関する。
【背景技術】
【０００２】
プロジェクタ等により表示される画像を調整可能とする技術が多く知られている。例えば特許文献１には、画像表示装置の画像表示において、ユーザが正確に望む色に調整することを可能とする技術が記載されている。
【０００３】
特許文献１の図３に示されるように、画像が表示された画面上には、表示画像内の調整したい色を選択するカーソルと、彩度、色相、及び明度を調整するための調整バーとが表示される。また画面上には、ＣＩＥ（国際照明委員会）が定めるＸＹＺ表色系に基づく馬蹄形の範囲で表された色域と、その内側に三角形の範囲で表された入力画像の色域とが表示される。
【０００４】
入力画像の色域の中には、カーソルで選択した色と同色の色の、色域内における位置を表す点が表示される。ユーザが調整バーを操作すると、それに連動して色域内の点が移動する。ユーザは表示された入力画像の色域を参照することで、点をどちらの方向に動かせば所望の色になるかを知ることができる。そしてその方向に点が動くように調整バーを操作するだけで、簡単かつ正確に画像調整する事ができる。
【先行技術文献】
【特許文献】
【０００５】
【特許文献１】特開２０１０−２０１９９号公報
【発明の概要】
【発明が解決しようとする課題】
【０００６】
このように表示される画像の色を調整可能とする有用な技術が求められている。
【０００７】
以上のような事情に鑑み、本技術の目的は、画像表示装置により表示される画像の色を調整可能となる有用な情報処理装置、情報処理方法、プログラム、及び画像表示装置を提供することにある。
【課題を解決するための手段】
【０００８】
上記目的を達成するため、本技術の一形態に係る情報処理装置は、取得部と、第１の算出部と、変換部とを具備する。
前記取得部は、第１の色域で表現される第１の色情報を含む画像情報を取得する。
前記第１の算出部は、前記画像情報をもとに画像を表示可能な画像表示系の色域の情報を用いて、前記第１の色情報をユーザの指示に基づく第２の色域で表現される第２の色情報に変換するための変換情報を算出する。
前記変換部は、前記変換情報を用いて前記第１の色情報を前記第２の色情報に変換する。
【０００９】
この情報処理装置では、画像表示系の色域の情報が用いられて色情報を変換するための変換情報が算出される。変換情報により、第１の色情報が、ユーザの指示に基づく第２の色域で表現される第２の色情報に変換される。これによりユーザは、第２の色域を適宜設定することで、表示される画像の色を調整することが可能となる。
【００１０】
前記情報処理装置は、前記ユーザからの指示が入力される入力部をさらに具備してもよい。この場合、前記第２の色域は、前記入力部に入力された、ＸＹＺ表色系色度図において前記第２の色域を規定する赤、緑、青の各色度座標に関する指示をもとに設定されてもよい。
これにより、入力部を介して赤、緑、青の各色度座標に関する指示を入力することで、第２の色域を適宜設定することが可能となる。
【００１１】
前記第２の色域は、前記赤、緑、青の各色度座標を変動する指示をもとに設定されてもよい。
このように赤、緑、青の各色度座標を変動する指示をもとに、第２の色域が設定されてもよい。これにより第２の色域を適宜設定することができる。
【００１２】
前記第２の色域は、前記赤、緑、青の各色度座標を指定する指示をもとに設定されてもよい。
このように赤、緑、青の各色度座標が直接指定されてもよい。これにより第２の色域を適宜設定することができる。
【００１３】
前記情報処理装置は、記憶部と、第２の算出部とをさらに具備してもよい。
前記記憶部は、前記画像表示系の色域の情報を算出するための色域に関する情報を記憶する。前記第２の算出部は、前記記憶された色域に関する情報を用いて、前記画像表示系の色域の情報を算出する。この場合、前記第１の算出部は、前記算出された前記画像表示系の色域の情報を用いて、前記変換情報を算出してもよい。
この情報処理装置では、画像表示系の色域の情報を算出するための色域に関する情報が記憶される。変換情報が算出される際には、色域に関する情報をもとに算出される画像表示系の色域の情報が用いられる。
【００１４】
前記記憶部は、前記第１の色情報を、予め設定された色域としての第３の色域で表現される第３の色情報に変換するための、予め前記画像表示系の色域の情報を用いて算出された設定変換情報を記憶してもよい。この場合、前記第２の算出部は、前記設定変換情報を前記色域に関する情報として用いて、前記画像表示系の色域の情報を算出してもよい。
この情報処理装置では、予め画像表示系の色域の情報を用いて算出された設定変換情報が記憶される。設定変換情報は、第１の色情報を第３の色情報に変換するための情報である。この設定変換情報を上記の色域の情報として用いて、逆算することで画像表示系の色域の情報が算出される。これにより記憶される情報量を軽減させることが可能となる。
【００１５】
前記情報処理装置は、予め測定された前記画像表示系の色域の情報を記憶する記憶部をさらに具備してもよい。この場合、前記第１の算出部は、前記記憶された前記画像表示系の色域の情報を用いて、前記変換情報を算出してもよい。
このように画像表示系の色域の情報が記憶され、記憶された画像表示系の色域の情報が用いられることで、変換情報が算出されてもよい。これにより演算量を軽減させることが可能となる。
【００１６】
前記第２の色域は、前記赤、緑、青の各色度座標の少なくとも１つとして、前記画像表示系の色域の外側の色度座標を選択する指示をもとに設定されてもよい。
このように赤、緑、青の各色度座標として、画像表示系の色域の外側の色度座標が選択されてもよい。このように第２の色域を設定することで、表示される画像の色を調整することが可能となる。
【００１７】
本技術の一形態に係る情報処理方法は、コンピュータにより実行される情報処理方法であって、第１の色域で表現される第１の色情報を含む画像情報を取得することを含む。
前記画像情報をもとに画像を表示可能な画像表示系の色域の情報を用いて、前記第１の色情報をユーザの指示に基づく第２の色域で表現される第２の色情報に変換するための変換情報が算出される。
前記変換情報を用いて前記第１の色情報が前記第２の色情報に変換される。
【００１８】
本技術の一形態に係るプログラムは、コンピュータに以下のステップを実行させる。
第１の色域で表現される第１の色情報を含む画像情報を取得するステップ。
前記画像情報をもとに画像を表示可能な画像表示系の色域の情報を用いて、前記第１の色情報をユーザの指示に基づく第２の色域で表現される第２の色情報に変換するための変換情報を算出するステップ。
前記変換情報を用いて前記第１の色情報を前記第２の色情報に変換するステップ。
【００１９】
本技術の一形態に係る画像表示装置は、取得部と、画像表示系と、第１の算出部と、変換部と、出力部とを具備する。
前記取得部は、第１の色域で表現される第１の色情報を含む画像情報を取得する。
前記画像表示系は、前記画像情報をもとに画像を表示可能である。
前記第１の算出部は、前記画像表示系の色域の情報を用いて、前記第１の色情報をユーザの指示に基づく第２の色域で表現される第２の色情報に変換するための変換情報を算出する。
前記変換部は、前記変換情報を用いて前記第１の色情報を前記第２の色情報に変換する。
前記出力部は、前記画像表示系に前記第２の色情報を出力する
【発明の効果】
【００２０】
以上のように、本技術によれば、画像表示装置により表示される画像の色を調整可能となる有用な情報処理装置、情報処理方法、プログラム、及び画像表示装置を提供することができる。なお、ここに記載された効果は必ずしも限定されるものではなく、本開示中に記載されたいずれかの効果であってもよい。
【図面の簡単な説明】
【００２１】
【図１】本技術の一実施形態に係る画像表示装置の構成例を示す模式的な図である。
【図２】画像表示装置の色域変換に関連する構成例を示す模式的な図である。
【図３】色域変換係数の算出方法を説明するための図である。
【図４】色域変換係数の算出方法を説明するためのｘｙ色度図を示す図である。
【図５】本実施形態に係る画像表示装置の動作例を示すフローチャートである。
【図６】色域（Color Space）を選択するためのＧＵＩの一例を示す図である。
【図７】第２の色域の設定を説明するためのｘｙ色度図を示す図である。
【図８】ＲＧＢの各頂点の色度座標を指示するためのＧＵＩの一例を示す図である。
【図９】第２の色域の設定に関する一実施形態を説明するための図である。
【発明を実施するための形態】
【００２２】
以下、本技術に係る実施形態を、図面を参照しながら説明する。
【００２３】
［画像表示装置の構成］
図１は、本技術の一実施形態に係る画像表示装置の表示系の構成例を示す模式的な図である。画像表示装置１００は、例えばプレゼンテーション用、もしくはデジタルシネマ用のプロジェクタとして用いられる。その他の用途に用いられるテレビ装置やモニター装置等の画像表示装置にも、以下に説明する本技術は適用可能である。
【００２４】
画像表示装置１００は、ＨＤＭＩ（High Definition Multimedia Interface）端子１と、ＨＤＭＩレシーバ２と、信号処理回路３と、色域変換回路４（変換部）と、ＲＧＢの各色用のパネルドライバ５と、ＲＧＢの各色用の液晶パネル６とを有する。また画像表示装置１００は、制御部１０と、記憶部１１と、入力部１２とを有する。
【００２５】
ＨＤＭＩ端子１は、ＨＤＭＩ形式の信号を入力するための端子である。本実施形態では、ＨＤＭＩ端子１を介して、画像信号が入力される。画像信号は、色情報を含む画像情報に相当する。なおコンポジット端子、Ｄ映像端子等の他の入力端子が備えられてもよい。
【００２６】
画像情報は、第１の色域で表現される第１の色情報を含む。例えば撮影時の色域で表現される色情報が、第１の色域で表現される色情報に相当する。撮影時の色域として、ｓＲＧＢ（Standard RGB）、Ａｄｏｂｅ（登録商標）ＲＧＢ、ＤＣＩ（Digital Cinema Initiatives）規格の色域等が挙げられる。これらに限定されるわけではない。
【００２７】
また色域とは、機器や処理で表現または再現できる色空間の部分を意味し、色再現範囲、色再現可能範囲、カラースペース（Color Space）とも呼ばれる。
【００２８】
ＨＤＭＩレシーバ２は、ＨＤＭＩ端子１を介して入力された画像信号等を受信して、信号処理回路３に出力する。信号処理回路３は、ＨＤＭＩ形式の画像信号に含まれる色情報としてのＹＣｒＣｂ信号をＲＧＢ信号に変換する。本実施形態では、ＨＤＭＩ端子１、ＨＤＭＩレシーバ２、及び信号処理回路３により取得部が実現される。
【００２９】
色域変換回路４は、入力された色情報を、所定の色域で表現される色情報に変換する。例えば画像情報を入力するデバイスと出力するデバイスとの間で色域に差がある場合には、適正に画像を表示させるために、その色域の差を補正することが必要となる。あるいは、ユーザが所望する色域にて画像を表示させたい場合等にも、色域の変換が実行される。このような技術は、色域変換や色域圧縮拡張等と呼ばれ、色域変換回路４にてその処理が実行される。
【００３０】
本実施形態では、色域変換回路４により、第１の色域で表現される第１の色情報が、ユーザの指示に基づく第２の色域で表現される第２の色情報に変換される。また色域変換回路４により、第１の色域で表現される第１の色情報が、予め設定された色域としての第３の色域で表現される第３の色情報に変換される。
【００３１】
予め設定される第３の色域としては、例えば上記したｓＲＧＢ、ＡｄｏｂｅＲＧＢ、ＤＣＩ規格の色域等が挙げられる。もちろん他の色域が、第３の色域として設定されてもよい。ユーザの指示に基づく第２の色域とは、図１に示す入力部１２に入力される指示により設定される色域である。例えは、入力部１２に入力された指示により、予め設定されている第３の色域が調整され、それが第２の色域として設定される。またはユーザが所望する色域が第２の色域として新しく設定される。第２の色域の設定については、後に詳しく説明する。
【００３２】
パネルドライバ５は、色域変換回路４により出力された色情報を含む画像情報をもとに、ＲＧＢ各色の液晶パネル６を駆動するための駆動信号を出力する。液晶パネル６は、パネルドライバ５からの駆動信号をもとに画像を生成する。生成された画像は図示しない投射系によりスクリーン等に投射される。
【００３３】
パネルドライバ５及び液晶パネル６は、本実施形態において、画像情報をもとに画像を表示可能な画像表示系に相当する。画像表示系の構成は限定されず、ＲＧＢの各色用の３つの液晶パネルが用いられてもよいし、単体の液晶パネルによりカラー画像が表示されてもよい。また液晶パネルに代えて、デジタルマイクロミラーデバイス（ＤＭＤ）等が用いられてもよい。
【００３４】
制御部１０は、画像表示装置１００内の各機構を制御することが可能である。制御部１０は、例えばＣＰＵ、ＲＡＭ、及びＲＯＭ等を有し、ＣＰＵがＲＯＭに予め記録されている制御用プログラムをＲＡＭにロードして実行することにより、各機構を制御する。制御部１０の構成は限定されず、任意のハードウェア及びソフトウェアが用いられてよい。例えばＦＰＧＡ（Field Programmable Gate Array）等のＰＬＤ(Programmable Logic Device)、その他ＡＳＩＣ（Application Specific Integrated Circuit）等のデバイスが用いられてもよい。
【００３５】
記憶部１１は、不揮発性の記憶デバイスであり、例えばＨＤＤ（Hard Disk Drive）、フラッシュメモリ、その他の固体メモリが用いられる。上記した制御部１０内のＲＯＭ等が記憶部１１として動作してもよい。
【００３６】
入力部１２は、例えばコントローラ、ポインティングデバイス、キーボード、タッチパネル、その他の操作装置である。入力部１２がタッチパネルを含む場合、そのタッチパネルは種々のＧＵＩ（Graphical User Interface）を表示するＧＵＩ表示部と一体として構成される。なお画像表示系がＧＵＩ表示部として用いられてもよいし、画像表示系とは別にＧＵＩ表示部が設けられてもよい。入力部１２にユーザからの指示が入力され、それに応じた指示信号が制御部１０等に入力される。
【００３７】
図２は、画像表示装置１００の色域変換に関連する構成例を示す模式的な図である。画像表示装置１００は、色域変換回路４と、液晶パネル６と、第１の算出部１５と、第２の算出部１６と、設定部１７とを有する。第１の算出部１５、第２の算出部１６、及び設定部１７は、制御部１０が有するＣＰＵが所定のプログラムを実行することにより実現される。すなわち本実施形態に係る情報処理は、記憶部１１等に記憶されたプログラム等のソフトウェアと、ＣＰＵや各種の回路等の画像表示装置１００が有するハードウェア資源との協働により実現される。
【００３８】
プログラムは、例えば記録媒体を介して画像表示装置１００にインストールされる。あるいは、インターネット等を介して画像表示装置１００にプログラムがインストールされてもよい。またプログラムは、時系列に処理が行われるプログラムであっても良いし、並列に、あるいは呼び出しが行われたとき等の必要なタイミングで処理が行われるプログラムであってもよい。
【００３９】
色域変換回路４は、第１の色情報から第３の色情報への変換を、色域変換係数Ｍｃを用いた以下の式１にて実行する。
【００４０】
【数１】
2015049463.tif 000003
【００４１】
また色域変換回路４は、第１の色情報から第２の色情報への変換を、ユーザ色域変換係数Ｍｃｕを用いた以下の式２にて実行する。
【００４２】
【数２】
2015049463.tif 000004
【００４３】
これらの変換係数は、３×３の行列で表される。色域変換係数Ｍｃは、予め設定された第３の色域で表現される第３の色情報への変換のために、予め算出されて記憶部１１に記憶される。この色域変換係数Ｍｃは、本実施形態において設定変換情報に相当する。一方、ユーザ色域変換係数Ｍｃｕは、ユーザからの指示をもとに算出される。このユーザ色域変換係数Ｍｃｕは、本実施形態において変換情報に相当する。
【００４４】
図３は、色域変換係数Ｍｃの算出方法を説明するための図である。図４は、その説明のためのＸＹＺ表色系の色度図（ｘｙ色度図）を示す図である。図３に示すように、例えば工場調整時やセンサーキャリブレーション時において、液晶パネル６の色度情報Ｍｐが測定される。
【００４５】
そのためにまず液晶パネル６によりＲＧＢの各色が表示され、色度測定カメラ１９によりそのＲＧＢ値が測定される。ＲＧＢ値の測定のための他のデバイスが用いられてもよい。
【００４６】
測定されたＲＧＢの測定値は、以下の式３に示すようにＸＹＺ表示系の値に変換される。変換されたＸＹＺ表示系の値をもとに式４に示すように、液晶パネル６の色度情報Ｍｐが取得される（図３のステップ１０１）。
【００４７】
【数３】
2015049463.tif 000005
【００４８】
液晶パネル６の色度情報Ｍｐは、本実施形態において、画像表示系の色域の情報に相当する。図４のｘｙ色度図において、破線で描かれた三角形が、液晶パネル６の色度情報Ｍｐに相当する色域２０である。この色域２０は、液晶パネル６にて再現可能（表現可能）な色の範囲を示している。式３に示すＲＧＢの各ＸＹＺ値は、色域２０の３原色となるＲＧＢの各頂点２０Ｒ、２０Ｇ、２０Ｂの色度座標の値に相当する（色度座標の値自身はｘｙｚ表色系の値）。
【００４９】
本実施形態では、予め設定された第３の色域として、３種類の色域が準備される。これらの色域に関する目標の色度点情報Ｍｔが取得される（ステップ１０２）。目標の色度点情報Ｍｔは、規格等により予め設定されている情報であり、色域を規定する３つの頂点の色度座標の情報を含む。例えば図４に示す例では、ｓＲＧＢの色域２５が図示されており、各頂点２５Ｒ、２５Ｇ、２５Ｂの色度座標の値は定められている。このような色域をＸＹＺ表色系によるＸＹＺ値により表したものが、目標の色度点情報Ｍｔとして取得される。
【００５０】
液晶パネル６の色度情報Ｍｐと、目標の色度点情報Ｍｔとをもとに、以下の式５に示すように、色域変換係数Ｍｃが算出される（ステップ１０３）。
【００５１】
【数４】
2015049463.tif 000006
【００５２】
色域変換係数Ｍｃは、使用する液晶パネル６により、第３の色域にて色を表現するための補正値ともいえる。本実施形態では、３種類の目標の色度点情報Ｍｔ（目標１、目標２、目標３）に応じた、３つの色域変換係数Ｍｃ（係数１、係数２、係数３）がそれぞれ算出される。図２に示すように、３種類の色域変換係数Ｍｃは、記憶部１１に記憶される。そして式１に示す色域変換処理の際に、適宜読み出される。また本実施形態では、３種類の目標の色度点情報Ｍｔのうち少なくとも１つが記憶部１１に記憶される。
【００５３】
設定部１７は、ＵＩ（入力部）に入力された指示をもとに、第２の色域を設定する。そして設定された第２の色域を目標とするユーザ色度点情報Ｍｔｕを生成する。ユーザ色度点情報Ｍｔｕは、ユーザの指示により可変可能である。
【００５４】
第２の算出部１６は、記憶部１１に記憶された色域変換基準係数Ｍｒを用いて、液晶パネル６の色度情報Ｍｐを算出する。色域変換基準係数Ｍｒは、本実施形態において、液晶パネル６の色度情報Ｍｐを算出するための、色域に関する情報に相当する。本実施形態では、図２に示すように、予め算出されて記憶された色域変換係数Ｍｃが、色域変換基準係数Ｍｒとして用いられる。
【００５５】
第１の算出部１５は、液晶パネル６の色度情報Ｍｐを用いて、第１の色情報をユーザの指示に基づく第２の色域で表現される第２の色情報に変換するための、ユーザ色域変換係数Ｍｃを算出する。以下、各ブロックによる動作を詳しく説明する。
【００５６】
［画像表示装置の動作］
図５は、本実施形態に係る画像表示装置１００の動作例を示すフローチャートである。図６−図９は、その動作の説明のための図である。まず設定部１７により、ユーザの指示に基づく第２の色域が設定され、それに応じたユーザ色度点情報Ｍｔｕが生成される（ステップ２０１）。
【００５７】
例えば図６に示すような、色域（Color Space）を選択するためのＧＵＩ３０が、ＧＵＩ表示部（液晶パネル６でもよい）に表示される。ＣＳ１−Ｃｓ３は、例えばｓＲＧＢ等の予め設定された第３の色域である。これらのアイコン３１が選択された場合には、記憶部１１に記憶された色域変換係数Ｍｃが適宜読み出され、式１に示す色域変換処理が実行される。
【００５８】
Ｕｓｅｒ１及びＵｓｅｒ２は、ユーザの指示により設定される第２の色域である。これらのアイコン３２が選択された場合に、図５のフローチャートに示す処理が開始される。なお、色域を選択するためのＧＵＩ３０の構成は限定されない。また図６に示す例では、２種類の第２の色域を設定することが可能であるが、その種類の数は限定されない。
【００５９】
図７に示すように、本実施形態では、ＸＹＺ表色系のｘｙ色度図において第２の色域３５を規定する赤、緑、青の各色度座標に関する指示が入力される。すなわち図７に示すＲＧＢの各頂点３５Ｒ、３５Ｇ、３５Ｂの色度座標が適宜指示されることで、第２の色域３５が設定される。
【００６０】
図８は、ＲＧＢの各頂点３５Ｒ、３５Ｇ、３５Ｂの色度座標を指示するためのＧＵＩ４０の一例を示す図である。例えばＲＧＢの各頂点３５Ｒ、３５Ｇ、３５Ｂに関して、基準となる色度座標と、選択可能な所定の範囲とが定められる。選択可能な所定の範囲は、図７に示すｘｙ色度図において、矢印Ｍで示す左右方向と、矢印Ｎで示す上下方向においてそれぞれ設定される。
【００６１】
図８に示すＧＵＩ４０では、矢印Ｍで示す左右方向がシアン−レッド方向として設定されている。そしてＣ−Ｒ操作アイコン４１を変動させることで、この方向における色度座標の変動を指示することが可能となっている。また矢印Ｎで示す上下方向がマゼンタ−グリーン方向として設定されている。そしてＭ−Ｇ操作アイコン４２を変動させることで、この方向における色度座標の変動を指示することが可能となっている。なお図８に示すように３つのＧＵＩが表示されてもよいし、１つのＧＵＩが各色用に切り替えられて表示されてもよい。
【００６２】
基準となる色度座標、及び所定の範囲の大きさ（色度座標の可動レンジの大きさ）は、適宜設定されてよい。例えば赤、青、緑と一般的に認識される範囲内において、基準となる色度座標、及び所定の範囲の大きさが設定されればよい。また図８に示すように、可動レンジを表す数値（−５０〜０〜＋５０）も、色度座標の値ではなくゲイン値が用いられてよい。
【００６３】
図７に示すようなｘｙ色度図が、ＲＧＢの各頂点３５Ｒ、３５Ｇ、３５Ｂの色度座標を指示するためのＧＵＩ４５として表示されてもよい。この場合、ユーザは、基準となる色度座標で表される３つの点を直接変動させることで、第２の色域３５を設定することが可能となる。これにより三角形の形状を目視しながら第２の色域３５を設定することができるので、直感的な操作が可能となる。
【００６４】
なお、ＲＧＢの各頂点３５Ｒ、３５Ｇ、３５Ｂの基準となる色度座標として、予め設定された第３の色域の各頂点の色度座標が用いられてもよい。例えば第３の色域としてｓＲＧＢの色域が設定されているとする。ユーザによる第２の色域３５の設定の際には、ｓＲＧＢの色域が基準となる色域として表示される（図７の色域２５）。ユーザは、ｓＲＧＢの各頂点２５Ｒ、２５Ｇ、２５Ｂの色度座標を調整することで第２の色域３５を設定する。これにより予め定められている第３の色域の形状等と比較しながら、第２の色域３５を設定することが可能となる。
【００６５】
なお第３の色域が基準となる色域として選択される場合には、第３の色域の各頂点の色度座標の値として理論値が選択されてもよいし、液晶パネル６により実際に表現される色域の値が選択されてもよい。例えば製品出荷後の経時変化等により、予め記憶された色域変換係数Ｍｃを用いて算出した第３の色域の値が、理論値からずれる場合がある。これらの値のいずれが、基準となる色度座標の値として用いられてもよい。
【００６６】
なお第２の色域の設定として、実際に表現される第３の色域の値を理論値に修正する処理が実行されてもよい。すなわち第２の色域の設定は、第３の色域を補正するために実行される場合もあれば、ユーザが所望する新しい色域を設定するために実行される場合もある。もちろんこれらの場合に限定されるわけでなない。
【００６７】
基準となる色域の各頂点の色度座標を変動する指示に代えて、赤、緑、青の各色度座標を指定する指示が入力されてもよい。例えば、ＲＧＢの各色の頂点３５Ｒ、３５Ｇ、３５Ｂの色度座標の値が入力部１２を介して直接入力されてもよい。あるいは図７に示すｘｙ色度図がＧＵＩ４５として表示され、その中の点がＲＧＢの各色の頂点３５Ｒ、３５Ｇ、３５Ｂとして直接選択されてもよい。これによりユーザが所望する第２の色域を直感的に設定することが可能となる。赤、緑、青の各色度座標が変動により選択される場合でも、指定により選択される場合でも、簡単に第２の色域を設定することが可能となる。
【００６８】
図５に示すステップ２０１では、設定された第２の色域３５がＸＹＺ表色系によるＸＹＺ値により表わされることで、ユーザ色度点情報Ｍｔｕが生成される。なおユーザ色度点情報Ｍｔｕや、目標の色度点情報Ｍｔを生成する方法は限定されず、例えば表色系の座標値の変換が用いられない方法が実行されてもよい。
【００６９】
次に、記憶部１１に記憶されている色域変換基準係数Ｍｒが用いられて、液晶パネル６の色度情報Ｍｐが算出される（ステップ２０２）。本実施形態では、第１の色情報を第３の色情報に変換するための色域変換係数Ｍｃと、この色域変換係数Ｍｃに対応する目標の色度点情報Ｍｔが用いられる。色域変換係数Ｍｃに対応する目標の色度点情報Ｍｔは、工場調整時等で、色域変換係数Ｍｃを算出する際に用いられた情報である（図３参照）。以下の式６に示すように、液晶パネル６の色度情報Ｍｐが算出される。
【００７０】
【数５】
2015049463.tif 000007
【００７１】
すなわち本実施形態では、色域変換係数Ｍｃを色域変換基準係数Ｍｒとして用いて、式５を逆算することで、液晶パネル６の色度情報Ｍｐが算出される。図２に示す３種類の色域変換係数Ｍｃのうちいずれかが色域変換基準係数Ｍｒとして用いられればよい。そして３種類の目標の色度点情報Ｍｔのうち、色域変換係数Ｍｃに対応する情報が、記憶部１１に記憶されればよい。３種類の色域変換係数Ｍｃの全て、もしくは任意の一部が色域変換基準係数Ｍｒとして用いられ、対応する目標の色度点情報Ｍｔが記憶部１１に記憶されてもよい。
【００７２】
本実施形態のように、色域変換処理において用いられる色域変換係数Ｍｃを、色域変換基準係数Ｍｒとして援用することで、記憶部１１に記憶される情報量を軽減させることが可能となる。一方で色域変換基準係数Ｍｒとして、色域変換係数Ｍｃとは異なる情報が用いられてもよい。例えば液晶パネル６の色度情報Ｍｐを用いて算出された情報であって、逆算により液晶パネル６の色度情報Ｍｐを算出可能な情報が、適宜準備されて記憶部１１に記憶されてもよい。
【００７３】
ステップ２０１にて算出されたユーザ色度点情報Ｍｔｕと、ステップ２０２にて算出された液晶パネル６の色度情報Ｍｐとをもとに、以下の式７にてユーザ色域変換係数Ｍｃｕが算出される（ステップ２０３）。
【００７４】
【数６】
2015049463.tif 000008
【００７５】
算出されたユーザ色域変換係数Ｍｃｕが色域変換回路４に設定される（ステップ２０４）。算出されたユーザ色域変換係数Ｍｃｕが用いられて、式２の色域変換処理が実行される。そして第１の色情報が、ユーザの指示に基づく第２の色域３５で表現される第２の色情報に変換される。すなわち色域変換回路４にて入力信号が変換され、ユーザが所望する色域が液晶パネル６により表示される（ステップ２０５）。
【００７６】
以上、本実施形態に係る画像表示装置１００では、液晶パネル６の色度情報Ｍｐが用いられて色情報を変換するためのユーザ色域変換係数Ｍｃｕが算出される。ユーザ色域変換係数Ｍｃｕにより、第１の色情報が、ユーザの指示に基づく第２の色域３５で表現される第２の色情報に変換される。これによりユーザは、第２の色域を自由に設定することが可能となり、表示される画像の色を調整することが可能となる。
【００７７】
＜その他の実施形態＞
本技術は、以上説明した実施形態に限定されず、他の種々の実施形態を実現することができる。
【００７８】
上記の実施形態では、図５のステップ２０２に示すように、色域変換基準係数Ｍｒをもとに液晶パネル６の色度情報Ｍｐが算出された。これに代えて、例えば工場調整時等において予め測定された液晶パネル６の色度情報Ｍｐが、そのまま記憶部１１に記憶されてもよい。そして第１の算出部１５により、記憶部１１に記憶された液晶パネル６の色度情報Ｍｐが用いられて、ユーザ色域変換係数Ｍｃｕが算出されてもよい。これにより図２に示す第２の算出部１６、及び図５のステップ１０２を省略することができ、演算量を軽減させることができる。また液晶パネル６の色度情報Ｍｐを算出するための情報である、色域変換基準係数Ｍｒや目標の色度点情報Ｍｔが記憶されなくてよい。
【００７９】
図９は、第２の色域の設定に関する一実施形態を説明するための図である。第２の色域３５を規定する赤、緑、青の各色度座標を指定する際には、液晶パネル６にて再現可能な色の範囲である液晶パネル６の色域２０内の範囲にて色度座標が選択されてもよい。
【００８０】
一方で、図９に示すように、赤、緑、青の各色度座標の少なくとも１つとして、液晶パネル６の色域２０の外側の色度座標が選択されてもよい。すなわち液晶パネル６の色域２０を超える範囲にて、第２の色域３５が設定されてもよい。これにより表示される画像の色を適宜調整することが可能となる。以下、この点について説明する。
【００８１】
第１の色域から第２の色域３５に、圧縮や拡張等によって色域が変換される際には、設定された第２の色域３５の中央に位置する白色点Ｗから三角形の各頂点までのベクトルが重要な要素となる。図９に示す第２の色域３５のうち、液晶パネル６の色域２０と重なる領域５０が色表現可能な範囲となるが、例えばこの領域５０が第２の色域３５ａとして設定されたとする。液晶パネル６の色域２０を超えて設定された第２の色域３５と、液晶パネル６の色域２０内に設定された第２の色域３５ａとを比較すると、白色点Ｗ（Ｗａ）から各頂点に向かうベクトルが異なるので、表現される色は異なるものとなる。すなわち液晶パネル６の色域２０内のみならず、これを超える範囲にて第２の色域３５を設定することで、表現される色の調整範囲を大きくすることが可能となる。この結果、所望の色を表現させることが可能となる。
【００８２】
第２の色域３５への変換において、液晶パネル６の色域２０の外側の色情報が算出されたとする。この場合は飽和状態となり、例えば白色点Ｗから外側の色情報へ向かうベクトルの方向にある、液晶パネル６の色域２０の外郭上の色が表示される。第２の色域３５の設定範囲にもよるが、このように色が表現されたとしても画像は破綻しないことが多い。なお液晶パネル６の色域２０の外側から、液晶パネル６の色域２０内へ、色情報が適宜補正されてもよい。
【００８３】
また液晶パネル６の色域２０を大きく超えて第２の色域３５が設定された場合には、極端な色にて画像が表示される可能性がある。しかしながら、色の調整の傾向や、第２の色域の設定に関する傾向等が確認可能なように、そのような適正とは言えない画像がそのまま表示されてもよい。
【００８４】
上記では、ｘｙ色度図にて三角形で表現される色域の、各頂点の色度座標が適宜選択された。しかしながら例えばシアン、マゼンタ、イエローを加えた６点で表される色域等の、他の表色系で表される色域の設定に関しても、本技術は適用可能である。原色となる各色の座標を適宜選択することで、ユーザの指示に基づく第２の色域が設定されればよい。
【００８５】
上記では本技術の一実施形態として、図１等に例示される画像表示装置１００を説明した。本技術の他の実施形態として、第１の色域で表現される第１の色情報を、ユーザの指示に基づく第２の色域で表現される第２の色情報に変換して、画像表示系に出力する装置、すなわち画像表示系の手前までの構成を有する装置が、本技術に係る情報処理装置として用いられてもよい。例えばＰＣ等のコンピュータが、本技術に係る情報処理装置として使用可能である。この場合、画像表示系に第２の色情報を出力する出力部が適宜設けられればよい。
【００８６】
なお、本開示中に記載された効果はあくまで例示であって限定されるものでは無く、また他の効果があってもよい。また上記で説明した各形態の特徴部分のうち、少なくとも２つの特徴部分を組み合わせることも可能である。
【００８７】
なお、本技術は以下のような構成も採ることができる。
（１）第１の色域で表現される第１の色情報を含む画像情報を取得する取得部と、
前記画像情報をもとに画像を表示可能な画像表示系の色域の情報を用いて、前記第１の色情報をユーザの指示に基づく第２の色域で表現される第２の色情報に変換するための変換情報を算出する第１の算出部と、
前記変換情報を用いて前記第１の色情報を前記第２の色情報に変換する変換部と
を具備する情報処理装置。
（２）（１）に記載の情報処理装置であって、
前記ユーザからの指示が入力される入力部をさらに具備し、
前記第２の色域は、前記入力部に入力された、ＸＹＺ表色系色度図において前記第２の色域を規定する赤、緑、青の各色度座標に関する指示をもとに設定される
情報処理装置。
（３）（２）に記載の情報処理装置であって、
前記第２の色域は、前記赤、緑、青の各色度座標を変動する指示をもとに設定される
情報処理装置。
（４）（２）又は（３）に記載の情報処理装置であって、
前記第２の色域は、前記赤、緑、青の各色度座標を指定する指示をもとに設定される
情報処理装置。
（５）（１）から（４）のうちいずれか１つに記載の情報処理装置であって、
前記画像表示系の色域の情報を算出するための色域に関する情報を記憶する記憶部と、
前記記憶された色域に関する情報を用いて、前記画像表示系の色域の情報を算出する第２の算出部と
をさらに具備し、
前記第１の算出部は、前記算出された前記画像表示系の色域の情報を用いて、前記変換情報を算出する
情報処理装置。
（６）（５）に記載の情報処理装置であって、
前記記憶部は、前記第１の色情報を、予め設定された色域としての第３の色域で表現される第３の色情報に変換するための、予め前記画像表示系の色域の情報を用いて算出された設定変換情報を記憶し、
前記第２の算出部は、前記設定変換情報を前記色域に関する情報として用いて、前記画像表示系の色域の情報を算出する
情報処理装置。
（７）（１）から（４）のうちいずれか１つに記載の情報処理装置であって、
予め測定された前記画像表示系の色域の情報を記憶する記憶部をさらに具備し、
前記第１の算出部は、前記記憶された前記画像表示系の色域の情報を用いて、前記変換情報を算出する
情報処理装置。
（８）（２）から（４）のうちいずれか１つに記載の情報処理装置であって、
前記第２の色域は、前記赤、緑、青の各色度座標の少なくとも１つとして、前記画像表示系の色域の外側の色度座標を選択する指示をもとに設定される
情報処理装置。
【符号の説明】
【００８８】
Ｍｐ…液晶パネルの色度情報
Ｍｔ…目標の色度点情報
Ｍｔｕ…ユーザ色度点情報
Ｍｃ…色域変換係数
Ｍｃｕ…ユーザ色域変換係数
Ｍｒ…色域変換基準係数
１…ＨＤＭＩ端子
２…ＨＤＭＩレシーバ
３…信号処理回路
４…色域変換回路
５…パネルドライバ
６…液晶パネル
１０…制御部
１１…記憶部
１２…入力部
１５…第１の算出部
１６…第２の算出部
２０…液晶パネルの色域
３５…第２の色域
１００…画像表示装置
【図１】
2015049463.tif 000009
【図２】
2015049463.tif 000010
【図３】
2015049463.tif 000011
【図４】
2015049463.tif 000012
【図５】
2015049463.tif 000013
【図６】
2015049463.tif 000014
【図７】
2015049463.tif 000015
【図８】
2015049463.tif 000016
【図９】
2015049463.tif 000017